(57)【特許請求の範囲】
【請求項１】
受信した波長多重光を分波して、一方を復調し受信データを出力すると共に他方をパススルーする受信部と、入力した送信データにより変調した波長光と前記受信部からパススルーされた波長光を合波して、波長多重光を送信する送信部とを備えた波長多重伝送装置において、
ダミー光を発光／消光するダミー光源と、
前記受信部からパススルーされた波長光に前記ダミー光源により発光されたダミー光を合波する合波部と、
前記合波部が出力する波長光の光レベルを監視して、前記受信した波長多重光の入力状態を判定するモニタ部と、
前記モニタ部により判定された入力状態に基づいて、前記ダミー光源によるダミー光の発光を制御するダミー光制御部とを備え、
前記送信部が前記変調した波長光と前記合波部が出力する波長光を合波した波長多重光を送信する
ことを特徴とする波長多重伝送装置。
【請求項２】
前記モニタ部は、前記合波部の出力する波長光の光レベルが期待値より小さい場合に、前記波長多重光が入力断状態であると判定し、
前記ダミー光制御部は、前記波長多重光が入力断状態である場合に、ダミー光を発光するように前記ダミー光源を制御する
ことを特徴とする請求項１記載の波長多重伝送装置。
【請求項３】
前記モニタ部は、前記合波部の出力する波長光の光レベルが期待値より大きい場合に、前記波長多重光の入力が正常状態に復旧したと判定し、
前記ダミー光制御部は、前記波長多重光の入力が正常状態へ復旧した場合に、ダミー光の発光を停止するように前記ダミー光源を制御する
ことを特徴とする請求項１または２記載の波長多重伝送装置。
【請求項４】
前記ダミー光源により発光されるダミー光は、前記受信部によりパススルーされる波長光と同等の光レベルに設定される
ことを特徴とする請求項１乃至３のいずれか１項記載の波長多重伝送装置。
【発明の詳細な説明】
【技術分野】
【０００１】
この発明は、パススルー機能を有する波長多重伝送装置において、波長多重光の入力が断状態となった場合にも出力光を安定化させる波長多重伝送装置に関するものである。
【背景技術】
【０００２】
波長多重伝送装置は、受信部では入力した波長多重光を波長毎に分離し、その波長光を元の信号に復調している。また、送信部では複数の信号をそれぞれ異なる波長光に変調し、その波長光を波長多重して送出している。
この波長多重伝送装置において、パススルー機能を有したものが存在する。パススルー機能とは、伝送路から入力した波長多重光のうち、その局で終端しない波長の波長多重光をそのまま次局に伝送することを特徴としたものである。【０００３】
このパススルー機能を有した波長多重伝送装置の動作について具体的に説明すると、波長多重伝送装置の受信部側では、まず、光増幅部は、伝送路ａから入力した波長多重光を光増幅して、１：２分岐部へ出力する。この光増幅部は伝送路損失を補う機能を果たす。次いで、１：２分岐部は、波長多重光を２つに分波して、一方の波長多重光を波長分離部へ出力し、他方の波長多重光を送信部２の波長フィルタへ出力（パススルー）する。次いで、波長分離部は、波長多重光を波長毎の波長光に分離して、波長変換部へ出力する。次いで、波長変換部は、各波長光を元の信号に復調して、受信データとして信号受信部へ出力する。【０００４】
送信部側では、まず、波長変換部は、信号送信部から入力した送信データを信号毎に各波長光に変調して、波長多重部へ出力する。次いで、波長多重部は、各波長光を波長多重して、２：１合波部へ出力する。
一方、波長フィルタは、受信部からパススルーされてきた波長多重光のうち、当局で終端する波長の波長多重光をブロックして、当局で終端しない波長の波長多重光のみをスルーして２：１合波部へ出力する。
次いで、２：１合波部は、波長多重部からの波長多重光と、波長フィルタからの波長多重光とを合波して、光増幅部へ出力する。次いで、光増幅部は、波長多重光を増幅して伝送路ｂを介して次局の波長多重伝送装置へ送出する。【０００５】
ここで、次局の受信部での信号劣化を防ぐために、当局の送信部の光増幅部出力を一定に保つ必要がある。しかしながら、パススルー機能を有する波長多重伝送装置において伝送路ａで障害が発生した場合、光増幅部出力が一定にならないという課題がある。
すなわち、伝送路ａで障害が発生して受信部への波長多重光が入力断状態となった場合、信号送信部からの送信データによる波長光は送信部の波長変換部で生成されるが、当局でパススルーする波長多重光は存在しない。そのため、光増幅部の出力が通常値から変動してしまい、伝送路の品質が低下してしまうことになる。【０００６】
このような課題を解消するため、光増幅部に入力される波長数やその時の光増幅部出力に基づいて、光増幅部の増幅率を制御することによって、光増幅部出力を一定に保つように構成したものがある（例えば特許文献１−３参照）。
【先行技術文献】
【特許文献】
【０００７】
【特許文献１】特許第４００５６４６号公報
【特許文献２】特許第３３７９０５２号公報
【特許文献３】特許第４０８４１４４号公報
【発明の概要】
【発明が解決しようとする課題】
【０００８】
しかしながら、特許文献１−３に開示される波長多重伝送装置において、パススルーする複数の波長が同時に断状態となった場合、光増幅部の増幅率を高くすると、信号光だけではなくノイズ成分も増幅されてしまうという課題がある。【０００９】
この発明は、上記のような課題を解決するためになされたもので、伝送路で障害が発生した場合にも、ノイズ成分を増幅させることなく、送信部の光増幅部出力を一定に保つことができる波長多重伝送装置を提供することを目的としている。
【課題を解決するための手段】
【００１０】
この発明に係る波長多重伝送装置は、ダミー光を発光／消光するダミー光源と、受信部からパススルーされた波長光にダミー光源により発光されたダミー光を合波する合波部と、合波部が出力する波長光の光レベルを監視して、受信した波長多重光の入力状態を判定するモニタ部と、モニタ部により判定された入力状態に基づいて、ダミー光源によるダミー光の発光を制御するダミー光制御部とを備え、送信部が変調した波長光と合波部が出力する波長光を合波した波長多重光を送信するものである。
【発明の効果】
【００１１】
この発明によれば、ダミー光を発光／消光するダミー光源と、受信部からパススルーされた波長光にダミー光源により発光されたダミー光を合波する合波部と、合波部が出力する波長光の光レベルを監視して、受信した波長多重光の入力状態を判定するモニタ部と、モニタ部により判定された入力状態に基づいて、ダミー光源によるダミー光の発光を制御するダミー光制御部とを備え、送信部が変調した波長光と合波部が出力する波長光を合波した波長多重光を送信することで、伝送路で障害が発生した場合にも、ノイズ成分を増幅させることなく、送信部の光増幅部出力を一定に保つことができ、伝送品質を高く保つことができる。
【図面の簡単な説明】
【００１２】
【図１】この発明の実施の形態１に係る波長多重伝送装置のパススルー機能を説明する図である。
【図２】この発明の実施の形態１に係る波長多重伝送装置の構成を示す図である。
【図３】この発明の実施の形態１におけるダミー光源から出力されたダミー光を示す図である。
【図４】この発明の実施の形態１における受信部の動作を示すフローチャートである。
【図５】この発明の実施の形態１における伝送路から入力した波長多重光（送信波長光およびパススルー波長光）を示す図である。
【図６】この発明の実施の形態１における送信部の波長多重光送出動作を示すフローチャートである。
【図７】この発明の実施の形態１における波長多重部から出力された波長多重光（送信波長光）を示す図である。
【図８】この発明の実施の形態１における波長フィルタの特性を示す図である。
【図９】この発明の実施の形態１における波長フィルタから出力された波長多重光（パススルー波長光）を示す図である。
【図１０】この発明の実施の形態１における送信部の波長多重光の入力状態確認動作を示すフローチャートである。
【図１１】この発明の実施の形態１に係る波長多重伝送装置において伝送路障害の発生を説明する図である。
【図１２】この発明の実施の形態１に係る波長多重伝送装置における光出力安定化動作を説明する図である。
【図１３】この発明の実施の形態１における波長フィルタから出力されたダミー光を示す図である。
【図１４】この発明の実施の形態１における２：１合波部から出力された波長多重光（送信波長光およびダミー光）を示す図である。
【図１５】この発明の実施の形態２に係る波長多重伝送装置の構成を示す図である。
【図１６】この発明の実施の形態２における波長変換部の構成を示す図である。
【発明を実施するための形態】
【００１３】
以下、この発明の実施の形態について図面を参照しながら詳細に説明する。
なお、波長多重伝送装置がパススルーする波長光、入力した送信データを変調した波長光は、どちらも複数の異なる波長の光が多重された波長多重光であるとして説明を行う。
実施の形態１．
まず、波長多重伝送装置が有するパススルー機能について説明する。
図１はこの発明の実施の形態１に係る波長多重伝送装置のパススルー機能を説明する図である。図１では、４つの波長多重伝送装置（端局Ａ〜Ｄ）を備え、波長多重伝送装置間が２つの伝送路（送信用、受信用）を介して接続され、リング状のネットワークが構成された波長多重システムについて示している。
各波長多重伝送装置は、図１の実線で示すように、隣接する波長多重伝送装置間（例えば端局Ａと端局Ｂ）で伝送路を介して波長多重光を伝送している。
【００１４】
また、図１の破線で示すように、例えば端局Ａと端局Ｃとの間で直接、波長多重光を伝送する需要もある。ここで、端局Ｂを経由して端局Ａから端局Ｃへ波長多重光を伝送する場合には、端局Ａからの波長多重光を端局Ｂでパススルーして端局Ｃへ伝送している。端局Ｂを経由して端局Ｃから端局Ａへ波長多重光を伝送する場合には、端局Ｃからの波長多重光を端局Ｂでパススルーして端局Ａへ伝送している。また、端局Ｄを経由する場合も同様に波長多重光は端局Ｄでパススルーされる。
以上のように、ある局に入力される波長多重光のうち、その局で終端しない波長の波長多重光をパススルーすることで次局に伝送することが可能となる。
【００１５】
次に、上記のようなパススルー機能を有する波長多重伝送装置の構成について説明する。
図２はこの発明の実施の形態１に係る波長多重伝送装置の構成を示す図である。この図２では、伝送路ａから伝送路ｂに向けて波長多重光を伝送する場合について示す。
波長多重伝送装置は、図２に示すように、受信部１および送信部２とから構成される。
【００１６】
受信部１は、伝送路ａから入力した波長多重光に対して波長毎に分離を行い、元の信号に復調するものである。この受信部１は、光増幅部１１、１：２分波部１２、波長分離部１３および波長変換部１４とから構成される。
【００１７】
光増幅部１１は、伝送路ａから入力した波長多重光を増幅するものであり、伝送路損失を補う機能を果たすものである。この光増幅部１１により増幅された波長多重光は１：２分波部１２へ出力される。
【００１８】
１：２分波部１２は、光増幅部１１により増幅された波長多重光を２つに分波するものである。この１：２分波部１２により分波された一方の波長多重光は波長分離部１３へ出力され、他方の波長多重光は送信部２へ出力（パススルー）される。
【００１９】
波長分離部１３は、１：２分波部１２を介して入力した波長多重光を波長毎の波長光に分離するものである。この波長分離部１３により分離された各波長光は波長変換部１４へ出力される。
【００２０】
波長変換部１４は、波長分離部１３により分離された各波長光を元の信号に復調するものである。この波長変換部１４により復調された各信号は受信データとして不図示の信号受信部へ出力される。
【００２１】
送信部２は、複数の信号を異なる波長光に変調し、波長多重して伝送路ｂに送出するものである。この送信部２は、波長変換部２１、波長多重部２２、２：１合波部２３、波長フィルタ２４、１：２分波部２５、モニタ部２６、ダミー光制御部２７、ダミー光源２８、２：１合波部２９および光増幅部３０とから構成される。
【００２２】
波長変換部２１は、不図示の信号送信部から入力した送信データを信号毎に波長光に変調するものである。この波長変換部２１により変調された各波長光は波長多重部２２へ出力される。
【００２３】
波長多重部２２は、波長変換部２１により変調された複数の波長光を波長多重するものである。この波長多重部２２により波長多重された波長多重光は２：１合波部２９へ出力される。
【００２４】
２：１合波部２３は、受信部１によりパススルーされた波長多重光と、ダミー光源２８により発光されたダミー光とを合波するものである。この２：１合波部２３により合波された波長多重光は波長フィルタ２４へ出力される。
【００２５】
波長フィルタ２４は、２：１合波部２３を介して入力した波長多重光のうち、当局で終端する波長の波長多重光をブロックして、当局では終端しない波長の波長多重光のみをスルーするものである。この波長フィルタ２４によりスルーされた波長多重光は１：２分波部２５へ出力される。
【００２６】
１：２分波部２５は、波長フィルタ２４により出力された波長多重光を２つに分波するものである。この１：２分波部２５により分波された一方の波長多重光は２：１合波部２９へ出力され、他方の波長多重光はモニタ部２６へ出力される。
【００２７】
モニタ部２６は、１：２分波部２５を介して入力した波長多重光の光レベルを監視して、波長多重光の入力状態を確認するものである。ここで、モニタ部２６は、監視している光レベルが予め設定した期待値と一致する場合には、波長多重光が正常に入力していると判定する。一方、モニタ部２６は、監視している光レベルが期待値より小さい場合には、波長多重光が正常に入力していない（入力断状態である）と判定する。このモニタ部２６による波長多重光の入力状態結果はダミー光制御部２７へ通知される。
また、モニタ部２６は、波長多重光が入力断状態であると判定した後、監視している光レベルが期待値より大きくなった場合には、波長多重光が入力断状態から正常状態に復旧したと判定して、その旨をダミー光制御部２７へ通知する。
【００２８】
ダミー光制御部２７は、モニタ部２６による入力状態結果通知に基づいて、結果が正常を示している（波長多重光が正常に入力している）場合にはダミー光を発光させないようにダミー光源２８を制御する。一方、結果が異常を示している（波長多重光が入力断状態である）場合にはダミー光を発光させるようにダミー光源２８を制御する。
また、ダミー光制御部２７は、モニタ部２６から波長多重光の正常復旧通知を入力した場合には、ダミー光の発光を停止させるようにダミー光源２８を制御する。
【００２９】
ダミー光源２８は、ダミー光制御部２７による制御に従い、ダミー光の発光／消光を行うものである。なお、ダミー光源２８は、図３に示すように、波長多重伝送装置で使用する波長を全てカバーすることができる光源（例えばＡＳＥ（Ａｍｐｌｉｆｉｅｄ  Ｓｐｏｎｔａｎｅｏｕｓ  Ｅｍｉｓｓｉｏｎ）光源）を用いる。また、ダミー光源２８のダミー光の光レベルは、波長フィルタ２４出力が正常状態の場合と同等となるように、受信部１によりパススルーされる波長多重光の光レベルと同等の値に予め設定される。
このダミー光源２８により発光されたダミー光は２：１合波部２３へ出力される。
【００３０】
２：１合波部２９は、波長多重部２２により波長多重された波長多重光と、１：２分波部２５を介して波長フィルタ２４から入力した波長多重光とを合波するものである。この２：１合波部２９により合波された波長多重光は光増幅部３０へ出力される。
光増幅部３０は、２：１合波部２９により合波された波長多重光を増幅するものである。この光増幅部３０により増幅された波長多重光は伝送路ｂへ送出される。
【００３１】
次に、上記のように構成される波長多重伝送装置の動作について説明する。まず、受信部１の動作について説明する。
図４はこの発明の実施の形態１における受信部１の動作を示すフローチャートである。
【００３２】
受信部１での動作では、図４に示すように、まず、光増幅部１１は、伝送路ａから入力した波長多重光を増幅する（ステップＳＴ４１）。ここで、伝送路ａから入力した波長多重光は、図５に示すように、当局で終端する送信波長の波長光と、当局では終端しない（次局へパススルーする）パススルー波長の波長光とから構成されている。この光増幅部１１により増幅された波長多重光は１：２分波部１２へ出力される。
【００３３】
次いで、１：２分波部１２は、光増幅部１１により増幅された波長多重光を２つに分波する（ステップＳＴ４２）。この１：２分波部１２により分波された一方の波長多重光は波長分離部１３へ出力され、他方の波長多重光は送信部２へ出力（パススルー）される。
【００３４】
次いで、波長分離部１３は、１：２分波部１２により分波された波長多重光を波長毎の波長光に分離する（ステップＳＴ４３）。この波長分離部１３により分離された波長光は波長変換部１４へ出力される。
【００３５】
次いで、波長変換部１４は、波長分離部１３により分離された各波長光を元の信号に復調する（ステップＳＴ４４）。この波長変換部１４により復調された信号は受信データとして信号受信部へ出力される。
【００３６】
次に、送信部２の動作について説明する。まず、送信部２の波長多重光送出動作について説明する。
図６はこの発明の実施の形態１における送信部２の波長多重光送出動作を示すフローチャートである。
【００３７】
送信部２の波長多重光送出動作では、図６に示すように、まず、波長変換部２１は、信号送信部から入力した送信データを信号毎に波長光に変調する（ステップＳＴ６１）。この波長変換部２１により変調された各波長光は波長多重部２２へ出力される。
【００３８】
次いで、波長多重部２２は、波長変換部２１により変調された各波長光を波長多重する（ステップＳＴ６２）。この波長多重部２２により波長多重された波長多重光は、図７に示すような送信波長の波長光から構成されている。この波長多重部２２により波長多重された波長多重光は２：１合波部２９へ出力される。
【００３９】
一方、波長フィルタ２４は、２：１合波部２３を介して受信部１によりパススルーされた波長多重光のうち、当局で終端する波長の波長多重光をブロックして、当局では終端しない波長の波長多重光のみをスルーさせる（ステップＳＴ６３）。ここで、この波長フィルタ２４は、図８に示すようなフィルタ特性を有し、図９に示すように、パススルー波長の波長多重光のみをスルーさせる。この波長フィルタ２４によりスルーされ出力された波長多重光は１：２分波部２５を介して２：１合波部２９へ出力される。
【００４０】
次いで、２：１合波部２９は、波長多重部２２により波長多重された波長多重光と、１：２分波部２５を介して波長フィルタ２４から入力した波長多重光とを合波する（ステップＳＴ６４）。この２：１合波部２９により合波された波長多重光は、再び図５に示すように、送信波長の波長光とパススルー波長の波長光とから構成される波長多重光となる。この２：１合波部２９により合波された波長多重光は光増幅部３０へ出力される。
次いで、光増幅部３０は、２：１合波部２９により合波された波長多重光を増幅する（ステップＳＴ６５）。この光増幅部３０により増幅された波長多重光は伝送路ｂへ送出される。
【００４１】
次に、送信部２の波長多重光の入力状態確認動作について説明する。
図１０はこの発明の実施の形態１における送信部２の波長多重光の入力状態確認動作を示すフローチャートである。
【００４２】
送信部２の波長多重光の入力状態確認動作では、図１０に示すように、まず、モニタ部２６は、１：２分波部２５を介して波長フィルタ２４から入力した波長多重光を監視して、波長多重光が正常に入力しているかを判定する（ステップＳＴ１０１）。すなわち、モニタ部２６は、監視している光レベルが、予め設定した期待値と一致する場合には波長多重光が正常に入力していると判定し、期待値より小さい場合には波長多重光が正常に入力していないと判定する。
【００４３】
このステップＳＴ１０１において、モニタ部２６が、波長多重光が正常に入力していると判定した場合には、次いで、ダミー光制御部２７は、ダミー光を発光させないようにダミー光源２８を制御する（ステップＳＴ１０２）。
【００４４】
一方、ステップＳＴ１０１において、モニタ部２６が、波長多重光が正常に入力していない（入力断状態である）と判定した場合には、次いで、ダミー光制御部２７は、ダミー光を発光させるようにダミー光源２８を制御する（ステップＳＴ１０３）。ここで、図１１（端局Ａから端局Ｃへ波長多重光を伝送する場合）に点線で示すように、伝送路ａで障害が発生して、端局Ｂの受信部１への波長多重光の入力が断状態となった場合、パススルー対象の波長多重光が存在しないため、光増幅部３０出力は通常値より低くなり不安定となる。
しかしながら、ステップＳＴ１０３において、図１２に示すように、端局Ｂのダミー光源２８からダミー光を発光させることで、２：１合波部２３からは、図３に示すようなダミー光が出力される。この２：１合波部２３から出力されたダミー光は、波長フィルタ２４により、図１３に示すように、当局で終端しない波長成分のみとなる。次いで、２：１合波部２９により、波長多重部２２からの波長多重光と合波されて、図１４に示すような波長多重光となる。このように、入力断状態のパススルー対象の波長多重光をダミー光で補填することで、光増幅部３０出力は通常値と同等の値となり安定する。
なお、ダミー光は信号成分を含んでいないため、次段以降の終端される局（端局Ｃ）で異常が検出される。
【００４５】
ダミー光源２８によるダミー光の発光後、モニタ部２６で監視している光レベルが期待値と一致する。しかしながら、これはダミー光の発光によるものであり、伝送路ａの障害がなくなり波長多重光が入力断状態から正常状態に復旧したためではない。そのため、ダミー光制御部２７は、ダミー光の発光を継続するようにダミー光源２８を制御する。
その後、伝送路ａの障害がなくなり、波長多重光が入力断状態から正常状態に復旧した場合には、２：１合波部２３でパススルーされた波長多重光とダミー光とが合波されることになる。そのため、モニタ部２６では、監視している光レベルが期待値より大きくなり、波長多重光が正常状態に復旧したことを検知することができる。この旨はダミー光制御部２７に通知され、ダミー光制御部２７はダミー光の発光を停止させるようにダミー光源２８を制御する。
【００４６】
以上のように、この実施の形態１によれば、光増幅部３０の増幅率を制御することなく、波長フィルタ２４により出力された波長多重光の光レベルを監視し、波長多重光が入力断状態であると判定した場合には、ダミー光を発光させるように構成したので、伝送路ａで障害が発生した場合にも、ノイズ成分を増幅させることなく、光増幅部３０出力を一定に保つことができ、伝送品質を高く保つことができる。
【００４７】
実施の形態２．
図１５はこの発明の実施の形態２に係る波長多重伝送装置の構成を示す図である。図１５に示す実施の形態２に係る波長多重伝送装置は、図２に示す実施の形態１に係る波長多重伝送装置の送信部２から１：２分波部２５およびモニタ部２６を削除し、受信部１の波長変換部１４を波長変換部１５に変更したものである。その他の構成は同様であり、同一の符号を付してその説明を省略する。
【００４８】
図１６はこの発明の実施の形態２における波長変換部１５の構成を示す図である。
波長変換部１５は、波長分離部１３により分離された各波長光を元の信号に復調するものである。この波長変換部１５は、図１６に示すように、所定波長の波長光を元の信号に復調するサブブロック１５１を波長数分有している。各サブブロック１５１は、１：２分波部１５２、受信データ変換部１５３、モニタ部１５４から構成される。また、波長変換部１５は、監視部１５５を有している。
【００４９】
１：２分波部１５２は、波長分離部１３により分離された波長光を２つに分波するものである。この１：２分波部１５２により分波された一方の波長光は受信データ変換部１５３へ出力され、他方の波長光はモニタ部１５４へ出力される。
【００５０】
受信データ変換部１５３は、１：２分波部１５２を介して波長分離部１３から入力した波長光を元の信号に復調するものである。この受信データ変換部１５３により復調された信号は受信データとして信号受信部へ出力される。
【００５１】
モニタ部１５４は、１：２分波部１５２を介して波長分離部１３から入力した波長光の光レベルを監視して、波長光の入力状態を確認するものである。なお、このモニタ部１５４は、個別の波長光の入力状態を確認するために従来から既に具備されているものである。ここで、モニタ部１５４は、監視している光レベルが予め設定した期待値と一致する場合には、波長光が正常に入力していると判定する。一方、モニタ部１５４は、監視している光レベルが期待値より小さい場合には、波長光が正常に入力していない（入力断状態である）と判定する。このモニタ部１５４による波長光の入力状態結果は監視部１５５へ通知される。
また、モニタ部１５４は、波長光が入力断状態であると判定した後、監視している光レベルが期待値と一致した場合には、波長光が入力断状態から正常状態に復旧したと判定して、その旨を監視部１５５へ通知する。
【００５２】
監視部１５５は、各モニタ部１５４による波長光の入力状態結果を集約して、全ての波長光の入力状態を監視するものである。この監視部１５５による全ての波長光の入力状態結果はダミー光制御部２７へ出力される。
また、監視部１５５は、全ての波長光が入力断状態から正常状態に復旧したと判定した場合には、その旨をダミー光制御部２７へ通知する。
【００５３】
なお、ダミー光制御部２７は、監視部１５５による入力状態結果通知に基づいて、結果が正常を示している（波長光が正常に入力している）場合にはダミー光を発光させないようにダミー光源２８を制御する。一方、結果が異常を示している（全ての波長光が入力断状態である）場合にはダミー光を発光させるようにダミー光源２８を制御する。
また、ダミー光制御部２７は、監視部１５５から波長光の正常復旧通知を入力した場合には、ダミー光の発光を停止させるようにダミー光源２８を制御する。
【００５４】
以上のように、この実施の形態２によれば、従来から既に具備されているモニタ部１５４の断検出機能を利用して、１：２分波部１２により分波され波長分離部１３により分離された各波長光を監視することによって、１：２分波部１２により分波されパススルーされた波長多重光の入力状態を確認するように構成したので、実施の形態１と比較して１：２分波部２５およびモニタ部２６をなくすことができ、部品数を削減することができる（部品の追加が不要となる）。
【００５５】
なお、実施の形態１，２では、パススルーする波長光、送信データを変調した波長光はどちらも複数の異なる波長の光が多重された波長多重光であるとして説明を行ったが、パススルーする波長光、送信データを変調した波長光は単波長の光であってもよい。
【産業上の利用可能性】
【００５６】
以上のように、この発明に係る波長多重伝送装置は、伝送路で障害が発生した場合にも、ノイズ成分を増幅させることなく、送信部の光増幅部出力を一定に保つことができ、伝送品質を高く保つことができるように構成したので、パススルー機能を有する波長多重伝送装置において、波長多重光の入力が断状態となった場合にも出力光を安定化させる波長多重伝送装置等に用いるのに適している。
【符号の説明】
【００５７】
１  受信部、２  送信部、１１  光増幅部、１２  １：２分波部、１３  波長分離部、１４  波長変換部、１５  波長変換部、２１  波長変換部、２２  波長多重部、２３  ２：１合波部、２４  波長フィルタ、２５  １：２分波部、２６  モニタ部、２７  ダミー光制御部、２８  ダミー光源、２９  ２：１合波部、３０  光増幅部、１５１  サブブロック、１５２  １：２分波部、１５３  受信データ変換部、１５４  モニタ部、１５５  監視部。
【図１】
0005389262.tif 000002
【図２】
0005389262.tif 000003
【図３】
0005389262.tif 000004
【図４】
0005389262.tif 000005
【図５】
0005389262.tif 000006
【図６】
0005389262.tif 000007
【図７】
0005389262.tif 000008
【図８】
0005389262.tif 000009
【図９】
0005389262.tif 000010
【図１０】
0005389262.tif 000011
【図１１】
0005389262.tif 000012
【図１２】
0005389262.tif 000013
【図１３】
0005389262.tif 000014
【図１４】
0005389262.tif 000015
【図１５】
0005389262.tif 000016
【図１６】
0005389262.tif 000017